(57)【要約】【課題】定速搬送装置による光学フィルムの搬送速度の増速を抑え、定速搬送装置による光学フィルムの搬送精度の悪化、及び光学フィルムに対する回収時の過度の衝撃の作用を防止することができる光学フィルムの中間搬送装置を提供する。【解決手段】帯状の光学シートＳを光学レーザ装置２３，２４により２枚の光学フィルムＳ１に切断する光学レーザユニット２と光学フィルムＳ１を一定速度で搬送する定速搬送装置３との間に設けられた中間搬送装置１として、光学レーザユニット２からの光学フィルムＳ１を上流側装置本体部６で受け取る際に光学レーザユニット２からの送り出し速度よりも若干速い第１の搬送速度で上記光学フィルムを受け取るように加速され、光学フィルムＳ１を下流側装置本体部７から定速搬送装置３に受け渡す際に定速搬送装置３による搬送速度よりも若干遅い第２の搬送速度に減速している。【選択図】図１
2012086931.tif 000002
【特許請求の範囲】
【請求項１】
搬送されてきた帯状の光学シートを光学レーザにより枚葉体の光学フィルムに切断する光学レーザユニットと上記光学フィルムを一定速度で搬送する定速搬送装置との間に設けられ、上記光学レーザユニットから送り出された上記光学フィルムを上記定速搬送装置に受け渡すようにした光学フィルムの中間搬送装置であって、
上記光学レーザユニットからの光学フィルムを装置本体で受け取る際には上記光学レーザユニットからの送り出し速度よりも若干速い第１の搬送速度で上記光学フィルムが受け取られるように調速されているとともに、
上記光学フィルムを上記装置本体から上記定速搬送装置に受け渡す際には上記定速搬送装置による搬送速度よりも若干遅い第２の搬送速度に調速されていることを特徴とする光学フィルムの中間搬送装置。
【請求項２】
上記装置本体は、上記光学レーザユニットから受け取った光学フィルムの搬送方向全長を載置可能とする搬送方向長さを有し、かつ上記光学フィルムを受け取って載置し終えた際に上記第１の搬送速度から上記第２の搬送速度まで調速させるに必要な搬送方向長さを有している請求項１に記載の光学フィルムの中間搬送装置。
【請求項３】
上記光学レーザユニット及び上記装置本体は、上記光学レーザによる光学フィルムの切断長さに応じて当該光学フィルムの搬送方向長さを変更する変更手段をそれぞれ備えており、
上記装置本体の変更手段は、上記光学レーザユニット及び上記装置本体による光学フィルムの搬送方向長さの和が一定に保たれるように、上記光学レーザユニットの変更手段により変更された光学フィルムの搬送方向長さに応じて上記装置本体による光学フィルムの搬送方向長さを相対的に変更している請求項１又は請求項２に記載の光学フィルムの中間搬送装置。
【請求項４】
上記装置本体は、上記光学レーザユニットから送り出された光学フィルムを受け取って搬送する上流側装置本体部と、この上流側装置本体部で搬送された光学フィルムを受け取って上記定速搬送装置に受け渡す下流側装置本体部とを備えており、
上記上流側装置本体部及び上記下流側装置本体部は、上記光学レーザユニットから送り出された光学フィルムの搬送方向全長を載置可能な搬送方向長さをそれぞれ有し、かつ上記光学フィルムを受け取って載置し終えた際に上記第１の搬送速度から上記第２の搬送速度まで調速させるに必要な搬送方向長さをそれぞれ有している請求項３に記載の光学フィルムの中間搬送装置。
【請求項５】
上記装置本体は、上記光学レーザユニットから送り出された光学フィルムを受け取って搬送する上流側装置本体部と、この上流側装置本体部で搬送された光学フィルムを受け取って上記定速搬送装置に受け渡す下流側装置本体部とを備えており、
上記上流側装置本体部及び上記下流側装置本体部は、その両本体部を合わせて、上記光学レーザユニットから送り出された光学フィルムの搬送方向全長を載置可能な搬送方向長さを有し、かつ上記光学フィルムを受け取って載置し終えた際に上記第１の搬送速度から上記第２の搬送速度まで調速させるに必要な搬送方向長さを有している請求項３に記載の光学フィルムの中間搬送装置。
【請求項６】
上記光学レーザユニットは、その光学シートの搬送方向に複数の光学レーザを備えている請求項１〜請求項５のいずれか１つに記載の光学フィルムの中間搬送装置。
【発明の詳細な説明】
【技術分野】
【０００１】
本発明は、液晶パネルなどの基板に貼り合わせる偏光フィルム、輝度向上フィルム、及び位相差フィルムなどの光学フィルムを上流側と下流側との搬送装置の間において円滑に受け渡すようにした光学フィルムの中間搬送装置に関する。
【背景技術】
【０００２】
従来より、この種中間搬送装置としては、搬送されてきた帯状の光学シートを光学レーザにより枚葉体の光学フィルムに切断する上流側の搬送装置としての光学レーザユニットに連設され、かつこの光学レーザユニットから送り出された上記光学フィルムを一定速度で連続的に搬送する下流側の搬送装置としての定速搬送装置に受け渡すようにしたものが知られている（例えば、特許文献１参照）。この場合、中間搬送装置は、この間欠的に搬送された光学フィルムを定速搬送装置に受け渡している。
【先行技術文献】
【特許文献】
【０００３】
【特許文献１】ＷＯ２０１０／０２１０２６ Ａ１ 公報
【発明の概要】
【発明が解決しようとする課題】
【０００４】
ところが、上記従来の中間搬送装置では、光学レーザユニットから送り出された光学フィルムを間欠的に搬送しているため、光学フィルムの生産性の向上を図る上で不利なものとなる。
【０００５】
そこで、中間搬送装置を、光学レーザユニットから送り出された光学フィルムを停止させることなく連続的に搬送させるようにすることが考えられる。
【０００６】
その場合、中間搬送装置による光学フィルムの搬送速度が光学レーザユニットからの光学フィルムの送り出し速度よりも遅いと、光学レーザユニットからの受け取り時に光学フィルムに弛みが生じてしまう。
かかる点から、中間搬送装置による光学フィルムの搬送速度を光学レーザユニットからの光学フィルムの送り出し速度よりも速い速度に増速させる必要がある。
【０００７】
このとき、定速搬送装置による光学フィルムの搬送速度が中間搬送装置による光学フィルムの搬送速度よりも遅いと、定速搬送装置への受け渡し時にも光学フィルムに同様に弛みが生じてしまう。このため、定速搬送装置による光学フィルムの搬送速度を、光学レーザユニットからの光学フィルムの送り出し速度よりも増速させた中間搬送装置による光学フィルムの搬送速度よりもさらに速い速度に増速させる必要がある。
【０００８】
しかし、これでは、定速搬送装置による光学フィルムの搬送速度が速くなりすぎてしまい、定速搬送装置による光学フィルムの搬送精度が悪化したり、その下流側において最終的に回収される光学フィルムの回収時に過度の衝撃が光学フィルムに作用するおそれがある。
【０００９】
本発明は、かかる点に鑑みてなされたものであり、その目的とするところは、定速搬送装置による光学フィルムの搬送速度の増速を抑え、定速搬送装置による光学フィルムの搬送精度の悪化、及び光学フィルムに対する回収時の過度の衝撃の作用を防止することができる光学フィルムの中間搬送装置を提供することにある。
【課題を解決するための手段】
【００１０】
上記目的を達成するため、本発明が講じた解決手段は、搬送されてきた帯状の光学シートを光学レーザにより枚葉体の光学フィルムに切断する光学レーザユニットと上記光学フィルムを一定速度で搬送する定速搬送装置との間に設けられ、上記光学レーザユニットから送り出された上記光学フィルムを上記定速搬送装置に受け渡すようにした光学フィルムの中間搬送装置を前提とする。そして、上記光学レーザユニットからの光学フィルムを装置本体で受け取る際に上記光学レーザユニットからの送り出し速度よりも若干速い第１の搬送速度で上記光学フィルムが受け取られるように調速されているとともに、上記光学フィルムを上記装置本体から上記定速搬送装置に受け渡す際には上記定速搬送装置による搬送速度よりも若干遅い第２の搬送速度に調速されている。
【００１１】
この特定事項により、中間搬送装置は、光学レーザユニットからの光学フィルムを装置本体で受け取る際に光学レーザユニットからの送り出し速度よりも若干速い第１の搬送速度で上記光学フィルムが受け取られるように調速され、光学レーザユニットからの受け取り時に光学フィルムに弛みを生じさせることがない。
その場合、中間搬送装置は、光学フィルムを装置本体から定速搬送装置に受け渡す際に上記定速搬送装置による搬送速度よりも若干遅い第２の搬送速度に調速されるので、定速搬送装置への受け渡し時にも光学フィルムに弛みを生じさせることがない。このため、定速搬送装置による光学フィルムの搬送速度を、光学レーザユニットからの光学フィルムの送り出し速度よりも増速させた中間搬送装置による光学フィルムの搬送速度よりもさらに速い速度に増速させる必要がない。これにより、定速搬送装置による光学フィルムの搬送速度の増速が抑えられ、定速搬送装置による光学フィルムの搬送精度が悪化することがない上、その下流側において最終的に回収される光学フィルムの回収時に過度の衝撃が光学フィルムに作用することもない。
【００１２】
また、上記装置本体は、上記光学レーザユニットから受け取った光学フィルムの搬送方向全長を載置可能とする搬送方向長さを有し、かつ上記光学フィルムを受け取って載置し終えた際に上記第１の搬送速度から上記第２の搬送速度まで調速させるに必要な搬送方向長さを有していることが好ましい。
【００１３】
この場合には、光学レーザユニットから光学フィルムを受け取る際にその光学フィルムの搬送方向全長が載置されて、光学レーザユニットからの光学フィルムを円滑に受け取ることができる。しかも、中間搬送装置の装置本体は、光学フィルムを受け取って載置し終えた際に第１の搬送速度から第２の搬送速度まで調速させるに必要な搬送方向長さを有しているので、光学フィルムを受け取って載置し終えてから第２の搬送速度に円滑に調速することができる。
【００１４】
また、上記光学レーザユニット及び上記装置本体は、上記光学レーザによる光学フィルムの切断長さに応じて当該光学フィルムの搬送方向長さを変更する変更手段をそれぞれ備えており、上記装置本体の変更手段は、上記光学レーザユニット及び上記装置本体による光学フィルムの搬送方向長さの和が一定に保たれるように、上記光学レーザユニットの変更手段により変更された光学フィルムの搬送方向長さに応じて上記装置本体による光学フィルムの搬送方向長さを相対的に変更していてもよい。
【００１５】
この場合には、中間搬送装置の装置本体の変更手段により、光学レーザユニットの変更手段により変更された光学フィルムの搬送方向長さに応じて装置本体による光学フィルムの搬送方向長さが相対的に変更されるので、光学レーザによる光学フィルムの切断長さが変更されても光学レーザユニット及び装置本体による光学フィルムの搬送方向長さの和が常に一定に保たれ、光学レーザユニット及び装置本体の搬送方向長さの増大化を抑制することができる。
【００１６】
また、上記装置本体は、上記光学レーザユニットから送り出された光学フィルムを受け取って搬送する上流側装置本体部と、この上流側装置本体部で搬送された光学フィルムを受け取って上記定速搬送装置に受け渡す下流側装置本体部とを備えており、上記上流側装置本体部及び上記下流側装置本体部は、上記光学レーザユニットから送り出された光学フィルムの搬送方向全長を載置可能な搬送方向長さをそれぞれ有し、かつ上記光学フィルムを受け取って載置し終えた際に上記第１の搬送速度から上記第２の搬送速度まで調速させるに必要な搬送方向長さをそれぞれ有していることが好ましい。
【００１７】
この場合には、上流側装置本体部は、光学レーザユニットから光学フィルムを受け取る際に上記光学レーザユニットによる搬送速度よりも若干速い第１の搬送速度に調速されているので、光学レーザユニットからの受け取り時に光学フィルムに弛みを生じさせることなく円滑に受け取ることができる。また、下流側装置本体部は、第２の搬送速度に調速された上流側装置本体部から光学フィルムを受け取る際にその上流側装置本体部により調速された第２の搬送速度よりも若干速い第１の搬送速度に調速されているので、上流側装置本体部からの受け渡し時に光学フィルムに弛みを生じさせることなく円滑に受け取ることができる。しかも、下流側装置本体部は、定速搬送装置に光学フィルムを受け渡す際にその定速搬送装置による搬送速度よりも若干遅い第２の搬送速度に調速されているので、定速搬送装置への受け渡し時に光学フィルムに弛みを生じさせることなく円滑に受け渡すことができる。
【００１８】
これに対し、上記装置本体は、上記光学レーザユニットから送り出された光学フィルムを受け取って搬送する上流側装置本体部と、この上流側装置本体部で搬送された光学フィルムを受け取って上記定速搬送装置に受け渡す下流側装置本体部とを備えており、上記上流側装置本体部及び上記下流側装置本体部は、その両本体部を合わせて、上記光学レーザユニットから送り出された光学フィルムの搬送方向全長を載置可能な搬送方向長さを有し、かつ上記光学フィルムを受け取って載置し終えた際に上記第１の搬送速度から上記第２の搬送速度まで調速させるに必要な搬送方向長さを有していることが好ましい。
【００１９】
この場合には、上流側装置本体部及び下流側装置本体部は、定速搬送装置に光学フィルムを受け渡す際にその定速搬送装置による搬送速度よりも若干遅い第２の搬送速度に調速されているので、定速搬送装置への受け渡し時に光学フィルムに弛みを生じさせることなく円滑に受け渡すことができる。
【００２０】
更に、上記光学レーザユニットは、その光学シートの搬送方向に複数の光学レーザを備えていてもよい。
【００２１】
この場合には、搬送されてきた光学シートが光学レーザによって複数の枚葉体の光学フィルムに切断され、光学フィルムの生産性を向上させることができる。
【発明の効果】
【００２２】
以上、要するに、中間搬送装置を、光学レーザユニットからの光学フィルムを装置本体で受け取る際に光学レーザユニットからの送り出し速度よりも若干速い第１の搬送速度で上記光学フィルムが受け取られるように調速した中間搬送装置を、光学フィルムを装置本体から定速搬送装置に受け渡す際に上記定速搬送装置による搬送速度よりも若干遅い第２の搬送速度に調速することで、光学レーザユニットからの受け取り時及び定速搬送装置への受け渡し時に光学フィルムに弛みを生じさせることがなく、定速搬送装置による光学フィルムの搬送速度を中間搬送装置による光学フィルムの搬送速度よりもさらに速い速度に増速させる必要がない。これにより、定速搬送装置による光学フィルムの搬送速度の増速を抑えて、定速搬送装置による光学フィルムの搬送精度の悪化を防止することができる上、その下流側での回収時に光学フィルムに作用する過度の衝撃を防止することができる。
【図面の簡単な説明】
【００２３】
【図１】本発明の実施の形態に係る中間搬送装置及び光学レーザユニットにより小サイズの光学フィルムを搬送する場合の側面図である。
【図２】図１の光学レーザユニットに巻出装置から巻き出した光学シートを搬送するフィード装置の側面図である。
【図３】図１の中間搬送装置及び光学レーザユニットにより中サイズの光学フィルムを搬送する場合の側面図である。
【図４】図１の中間搬送装置及び光学レーザユニットにより大サイズの光学フィルムを搬送する場合の側面図である。
【発明を実施するための形態】
【００２４】
以下、添付図面を参照しながら、本発明の実施の形態について説明し、本発明の理解に供する。尚、以下の実施の形態は、本発明を具体化した一例であって、本発明の技術的範囲を限定する性格のものではない。
まず、図１を用いて、本発明の実施の形態に係る光学フィルムの中間搬送装置１について説明する。
【００２５】
図１に示すように、上記中間搬送装置１は、後述するフィード装置４から搬送されてきた帯状の光学シートＳを切断する光学レーザユニット２と、この光学レーザユニット２により切断された光学フィルムＳ１を一定速度で連続的に搬送する定速搬送装置３との間に設けられている。この場合、光学フィルムＳ１は、小サイズ（例えばワイドタイプの３２インチサイズ）の液晶モニタ用のものとされている。
【００２６】
上記光学レーザユニット２は、図示しない筺体フレームを備えている。また、上記光学レーザユニット２は、図示しないサーボモータの駆動軸に回転一体に連結された単一の駆動ロール２１ａと、８つの第１〜第８従動ロール２１ｂ〜２１ｉと、これらのロール２１ａ〜２１ｉに巻き掛けられたベルト２２とを備えている。そして、上記光学レーザユニット２は、第２及び第３従動ロール２１ｃ，２１ｄ間、並びに第６及び第７従動ロール２１ｇ，２１ｈ間に巻き掛けられたベルト２２の第１及び第２搬送領域Ａ１，Ａ２において光学シートＳ及び光学フィルムＳ１を搬送させるようにしている。また、上記光学レーザユニット２は、上記光学シートＳの搬送方向に２つ並設された光学レーザ装置２３，２４（光学レーザ）を備えている。上記各光学レーザ装置２３，２４のうち、搬送方向上流側（図１では右側）に位置する第１光学レーザ装置２３は、上記第６及び第７従動ロール２１ｇ，２１ｈ間におけるベルト２２の第２搬送領域Ａ２の搬送方向直上流側に配置されている。一方、搬送方向下流側に位置する第２光学レーザ装置２４は、上記第２及び第３従動ロール２１ｃ，２１ｄ間におけるベルト２２の第１搬送領域Ａ１と上記第６及び第７従動ロール２１ｇ，２１ｈ間におけるベルト２２の第２搬送領域Ａ２との間に配置されている。そして、上記第４従動ロール２１ｅが第３従動ロール２１ｄの下方に、上記第５従動ローラ２１ｆが第６従動ロール２１ｇの下方にそれぞれ配置され、これらの従動ローラ２１ｅ，２１ｆに第３従動ロール２１ｄと第６従動ロール２１ｇとの間のベルト２２を巻き掛けることによって、第３従動ロール２１ｄと第６従動ロール２１ｇとの間つまりベルト２２の第１及び第２搬送領域Ａ１，Ａ２間に第２光学レーザ装置２４の収容空間を形成している。
【００２７】
上記各光学レーザ装置２３，２４は、上記光学シートＳの下方に配置され、光学シートＳの幅方向（図１では紙面手前奥方向）にレーザを走査させるように水平移動し、上方を通過する光学シートＳをその搬送方向に切断する。また、各光学レーザ装置２３，２４の上方には、切断部位から発生したガス（煙）を集煙する第１及び第２集煙ダクト２３１，２４１が光学シートＳを挟んで当該各光学レーザ装置２３，２４と対向するように配置されている。更に、各光学レーザ装置２３，２４は、その搬送方向両側に光学シートＳの搬送を案内する案内面を有する薄箱状のテーブル部２３２，２４２を備えている。このテーブル部２３２，２４２は、その案内面の全域に亘って開口する多数の孔部（図示せず）を有し、図示しない切替手段を介してエア吸引手段（図示せず）及びエア吹出手段（図示せず）に連結されている。
【００２８】
上記光学レーザユニット２と上記中間搬送装置１との間には、光学シートＳ及び光学フィルムＳ１の搬送を案内する案内面を有する薄箱状のテーブル部２８が設けられている。このテーブル部２８は、その案内面の全域に亘って開口する多数の孔部（図示せず）を有し、図示しない切替手段を介して上記エア吸引手段及びエア吹出手段に連結されている。また、上記テーブル部２８の上方には、上記光学レーザユニット２に搬送されてきた光学シートＳの前端（図１では左端）を高精度に検出する高感度カメラ２９が設けられている。
【００２９】
そして、上記各テーブル部２８，２３２，２４２は、光学シートＳの先端が高感度カメラ２９で検出されると、上記光学レーザユニット２のサーボモータの駆動停止に伴い駆動ロール２１ａを停止させてベルト２２の搬送を停止し、それぞれ切替手段によりエアー吸引手段に切り替えて光学シートＳを案内面に吸着させ、レーザ装置２３，２４による光学シートＳの切断が円滑に行えるようにしている。一方、レーザ装置２３，２４による光学シートＳの切断が完了すると、それぞれ切替手段によりエア吹出手段に切り替えて光学シートＳ及び光学フィルムＳ１を各テーブル２８，２３２，２４２の案内面から浮かせ、ベルト２２上での光学シートＳ及び光学フィルムＳ１の搬送が抵抗なく行えるようにしている。この場合、ベルト２２は、光学シートＳの先端が高感度カメラ２９で検出された時点から光学レーザ装置２３，２４による光学シートＳの切断が完了するまでの間、サーボモータの駆動停止に伴い駆動ロール２１ａを停止させる一方、光学シートＳの切断が完了してから光学シートＳの先端が高感度カメラ２９で検出されるまでの間、サーボモータを駆動させて駆動ロール２１ａを回転させ、これによって間欠動作が行われるようになっている。
【００３０】
また、図２に示すように、上記光学レーザユニット２の搬送方向上流側には、この光学レーザユニット２に光学シートＳを搬送するフィード装置４が設けられている。このフィード装置４は、巻出装置５の元コイル５１から繰り出される光学シートＳを導くメインフィードロール４１と、光学シートＳを光学レーザユニット２に導くサブフィードロール４３と、上記両フィードロール４１，４３間に配置されたアキューム装置４５とを備えている。
【００３１】
上記メインフィードロール４１は、これと対をなすバックアップロール４２を備え、巻出装置５から光学シートＳを繰り出すようにサーボモータ（図示せず）に駆動連結されている。そして、上記メインフィードロール４１は、バックアップロール４２とのニップ間に光学シートＳを通し、サーボモータの作用下に所定の周速になるように速度制御されるとともに、図示しないエンコーダを介して光学シートＳの繰り出し長さを検出している。このメインフィードロール４１のサーボモータとしては、出力が２ｋｗ、回転数が２０００ｒｐｍ程度のものが適用されている。
【００３２】
上記サブフィードロール４３は、これと対をなすバックアップロール４４を備え、上記フィード装置４からの光学シートＳを上記光学レーザユニット２に送り出すようにサーボモータ（図示せず）の駆動軸に回転一体に連結されている。そして、上記サブフィードロール４３は、バックアップロール４４とのニップ間に光学シートＳを通し、サーボモータの作用下に所定の周速になるように速度制御される。このサブフィードロール４３のサーボモータとしては、出力が１．７３ｋｗ、回転数が１５０ｒｐｍ程度の特殊低回転タイプのダイレクトドライブモータが適用されている。また、サブフィードロール４３のサーボモータは、光学レーザユニット２の駆動ロール２１ａのサーボモータと同期し、光学シートＳの先端が高感度カメラ２９で検出された時点から光学レーザ装置２３，２４による光学シートＳの切断が完了するまでの間、停止する一方、光学シートＳの切断が完了してから光学シートＳの先端が高感度カメラ２９で検出されるまでの間、駆動回転し、これによって光学シートＳの間欠動作（例えば、０〜９０ｍ／ｍｉｎの搬送速度）を行わせるようにしている。この場合、光学レーザユニット２の駆動ロール２１ａのサーボモータは、光学シートＳの切断が完了すると、光学シートＳ及び光学フィルムＳ１の搬送速度が最大搬送速度（例えば９０ｍ／ｍｉｎ）となるまで加速する。また、サブフィードロール４３のサーボモータも、光学シートＳの切断が完了すると、光学レーザユニット２の駆動ロール２１ａのサーボモータと同期して駆動回転し、光学シートＳを同じ搬送速度（例えば９０ｍ／ｍｉｎ）で光学レーザユニット２に送り出すように加速する。
【００３３】
上記巻出装置５は、原コイル５１の制動トルクを調節する制動用モータ５２を備えている。この制動用モータ５２は、例えばベクトル制御インバータによりトルク制御可能な公知のモータであり、普通、巻出中は発電機のように負荷として働く。原コイル５１は、その巻芯（図示せず）の両端部を、図示しない原コイル支持装置の一対の巻芯チャックに装着することにより、巻芯を中心に回転可能に支持されている。この場合、制動用モータ５２の回転は巻芯チャックに伝動装置（図示せず）を介して伝達され、巻芯チャックは巻芯を固く保持できるようになっているので、制動用モータ５２の制動トルクを原コイル５１に伝えることができる。
【００３４】
そして、上記光学シートＳを原コイル５１から繰り出すには、サーボモータによりメインフィードロール４１を回転駆動するとともに、制動用モータ５２により原コイル５１に制動トルクを与える。このとき、原コイル５１とメインフィードロール４１との間の光学シートＳには、原コイル５１の制動トルクを原コイル５１の半径で割り算して得た値に等しい延伸力が生じるので、制動用モータ５２が出す制動トルクの大きさを調節することにより、繰り出される光学シートＳにシワが生じないように最適の延伸力を付与する。そして、所要のシート延伸力の設定値と原コイル５１の半径とを掛け算することにより制動トルクの目標値を演算し、光学シートＳに最適の延伸力が生じるように制動用モータ５２の出力トルクが自動的に調節される。なお、制動用モータ５２は、必要に応じてパウダーブレーキ等の、制動トルクを調節可能な公知のブレーキ装置に替えてもよい。
【００３５】
また、上記アキューム装置４５は、第１〜第３ロール４５１〜４５３を備えている。各ロール４５１〜４５３のうち、第１及び第３ロール４５１，４５３は、図示しないサーボモータの駆動軸４６１に基端が回転一体に連結された長尺アーム部材４６の先端にそれぞれ回転自在に支持されている。この長尺アーム部材４６の先端は、駆動軸４６１回りとなる周方向で後前（図２では右左）に二分岐しており、それぞれの先端に第１及び第３ロール４５１，４５３を支持している。そして、上記長尺アーム部材４６は、上記光学シートＳの切断時に光学レーザユニット２の駆動ロール２１ａが停止すると、巻出装置５から繰り出される光学シートＳにシワが生じないようにサーボモータにより駆動軸４６１回りに反光学レーザユニット２側（図２では時計回り）に連続的に揺動し、巻出装置５から繰り出される光学シートＳの繰り出し量を吸収している。このとき、長尺アーム部材４６のサーボモータは、その長尺アーム部材４６の揺動量つまり第１及び第３ロール４５１，４５３の揺動位置を常に監視しており、当該各ロール４５１，４５３の位置制御に供される。
【００３６】
更に、上記第２ロール４５２は、図示しないサーボモータの駆動軸４７１に基端が回転一体に連結された短尺アーム部材４７の先端に回転自在に支持されている。この短尺アーム部材４７は、上記長尺アーム部材４６の揺動時に光学シートＳに作用する張力が最適となるように揺動する。つまり、短尺アーム部材４７は、長尺アーム部材４６の揺動によって第１及び第３ロール４５１，４５３に位置ずれが生じているときに光学シートＳの張力が最適となるようにサーボモータにより駆動軸４７１回りに揺動する。このとき、短尺アーム部材４７のサーボモータは、その短尺アーム４７の揺動負荷つまり光学シートＳから第２ロール４５２及び短尺アーム部材４７を介して駆動軸４７１に作用する張力を常に監視しており、光学シートＳの張力制御に供される。
【００３７】
上記定速搬送装置３は、図示しないサーボモータの駆動軸に回転一体に連結された単一の駆動ロール（図示せず）と、複数の従動ロール３１ａ，３１ｂ（図１では２つのみ示す）と、これらのロールに巻き掛けられたベルト３２とを備えている。そして、上記定速搬送装置３の駆動ロールのサーボモータは、常時一定回転数で駆動回転し、これによってベルト３２を一定の搬送速度（例えば、６０ｍ／ｍｉｎの搬送速度）で駆動させるようにしている。
【００３８】
上記中間搬送装置１は、光学レーザユニット２側となる上流側装置本体部６と、定速搬送装置３側となる下流側装置本体部７とに分割された装置本体１０を備えている。上記上流側装置本体部６は、図示しないサーボモータの駆動軸に回転一体に連結された単一の駆動ロール６１ａと、５つの第１〜第５従動ロール６１ｂ〜６１ｆと、これらのロール６１ａ〜６１ｆに巻き掛けられたベルト６２とを備えている。そして、上記上流側装置本体部６は、第３及び第４従動ロール６１ｄ，６１ｅ間に巻き掛けられたベルト６２の搬送領域Ｂにおいて光学フィルムＳ１を搬送させるようにしている。このベルト６２の搬送領域Ｂは、上記光学レーザ装置２３，２４により切断した２枚の光学フィルムＳ１，Ｓ１の搬送方向全域を載置可能とする長さを有している。この場合、ベルト６２は、駆動ロール６１ａを駆動回転させるサーボモータにより、４０〜１０５ｍ／ｍｉｎの搬送速度の範囲内で可変に搬送されるようになっている。
【００３９】
そして、上記上流側装置本体部６の駆動ロール６１ａのサーボモータは、上記光学レーザユニット２において光学シートＳの切断が完了した際に駆動回転する上記サブフィードロール４３のサーボモータ及び上記光学レーザユニット２の駆動ロール２１ａのサーボモータと同じタイミングで加速する。このとき、ベルト６２は、駆動ロール６１ａのサーボモータの加速によって、光学レーザユニット２のベルト２２の搬送速度（９０ｍ／ｍｉｎ）よりも若干速い第１の搬送速度（例えば１０５ｍ／ｍｉｎ）に調速（加速）される。この場合、ベルト６２をベルト２２の搬送速度よりも若干速い第１の搬送速度で搬送させるのは、ベルト２２からベルト６２に受け渡す際に光学フィルムＳ１に弛みを生じさせないためであり、ベルト６２に受け渡された際にベルト２２と光学フィルムＳ１との間で発生する摩擦が許容範囲内となる３０％未満の搬送速度差であれば問題ない。
【００４０】
また、上記上流側装置本体部６は、上記ベルト６２の搬送領域Ｂにおいて搬送されてきた光学フィルムＳ１の先端位置（ここでは先頭の光学フィルムＳ１の前端位置）を検出する前端位置検出センサ６３を備えている。そして、上記上流側装置本体部６の駆動ロール６１ａのサーボモータは、上記前端位置検出センサ６３によりベルト６２の搬送領域Ｂにおいて先頭の光学フィルムＳ１の前端位置が検出されると、上記下流側装置本体部７のベルト７２（後述する）の搬送速度（例えば６０ｍ／ｍｉｎ）よりも若干遅い搬送速度（例えば４５ｍ／ｍｉｎ）に調速（減速）されるように減速される。このベルト６２の搬送領域Ｂは、光学レーザユニット２から受け渡されて搬送方向全域が載置された２枚の光学フィルムＳ１のうちの先頭の光学フィルムＳ１の前端位置が前端位置検出センサ６３により検出された際に、下流側装置本体部７のベルト７２の搬送速度よりも若干遅い搬送速度までベルト６２の搬送速度を調速（減速）させるに必要な長さを有している。この場合、ベルト６２をベルト７２の搬送速度（６０ｍ／ｍｉｎ）よりも若干遅い搬送速度（例えば４５ｍ／ｍｉｎ）に減速させるのは、ベルト６２からベルト７２に受け渡す際に光学フィルムＳ１に弛みを生じさせないためであり、ベルト７２に受け渡された際にベルト６２と光学フィルムＳ１との間で発生する摩擦が許容範囲内となる３０％未満の搬送速度差であれば問題ない。
【００４１】
一方、上記下流側装置本体部７は、図示しないサーボモータの駆動軸に回転一体に連結された単一の駆動ロール７１ａと、５つの第１〜第５従動ロール７１ｂ〜７１ｆと、これらのロール７１ａ〜７１ｆに巻き掛けられたベルト７２とを備えている。そして、上記上流側装置本体部７は、第３及び第４従動ロール７１ｄ，７１ｅ間に巻き掛けられたベルト７２の搬送領域Ｃにおいて光学フィルムＳ１を搬送させるようにしている。このベルト７２の搬送領域Ｃは、上記光学レーザ装置２３，２４により切断した２枚の光学フィルムＳ１，Ｓ１の搬送方向全域を載置可能とする長さを有している。この場合、ベルト７２は、駆動ロール７１ａを駆動回転させるサーボモータにより、４０〜６０ｍ／ｍｉｎの搬送速度の範囲内で可変に搬送されるようになっている。
【００４２】
そして、上記下流側装置本体部７の駆動ロール７１ａのサーボモータは、通常時に６０ｍ／ｍｉｎの搬送速度でベルト７２を搬送させるように駆動回転している。また、上記下流側装置本体部７は、上記ベルト７２の搬送領域Ｃの上流側において２番目に搬送されてきた光学フィルムＳ１の後端位置を検出する後端位置検出センサ７３と、上記ベルト７２の搬送領域Ｃの下流側において先頭の光学フィルムＳ１の前端位置を検出する前端位置検出センサ７４とを備えている。そして、上記下流側装置本体部７は、上記ベルト７２の搬送領域Ｃにおいて２番目の光学フィルムＳ１の後端位置を上記後端位置検出センサ７３が検出することで、当該ベルト７２上に２枚の光学フィルムＳ１の搬送方向全域が載置されたことを検知している。
【００４３】
また、上記下流側装置本体部７の駆動ロール７１ａのサーボモータは、上記前端位置検出センサ７４によりベルト７２の搬送領域Ｃの下流側において先頭の光学フィルムＳ１の前端位置が検出されると、上記定速搬送装置３のベルト３２の搬送速度（例えば６０ｍ／ｍｉｎ）よりも若干遅い第２の搬送速度（例えば４５ｍ／ｍｉｎ）に調速（減速）されるように減速される。このベルト７２の搬送領域Ｃは、上流側装置本体部６から受け渡されて搬送方向全域が載置された２枚の光学フィルムＳ１のうちの先頭の光学フィルムＳ１の前端位置が前端位置検出センサ７４により検出された際に、定速搬送装置３のベルト３２の搬送速度よりも若干遅い搬送速度までベルト７２の搬送速度を調速（減速）させるに必要な長さを有している。この場合、ベルト７２をベルト３２の搬送速度よりも若干遅い第２の搬送速度に減速させるのは、ベルト７２からベルト３２に受け渡す際に光学フィルムＳ１に弛みを生じさせないためであり、ベルト３２に受け渡された際にベルト７２と光学フィルムＳ１との間で発生する摩擦が許容範囲内となる３０％未満の搬送速度差であれば問題ない。
【００４４】
そして、上記光学レーザユニット２の駆動ロール２１ａ並びに第１及び第２従動ロール２１ｂ，２１ｃは、上記筺体フレームに固定されている。これに対し、上記第３〜第６従動ロール２１ｄ〜２１ｇ、第２光学レーザ装置２４及び第２集煙ダクト２４１は、光学フィルムＳ１の搬送方向の長さつまりベルト２２の第１及び第２搬送領域Ａ１，Ａ２の長さを変更する第１及び第２変更手段２７Ａ，２７Ｂを介して上記筺体フレームにそれぞれ支持されている。この第１変更手段２７Ａは、上記筺体フレームに対しレール（図示せず）を介してベルト２２の搬送方向に移動可能に支持された第１支持フレーム（図示せず）を備えている。この第１支持フレームには、上記第３〜第６従動ロール２１ｄ〜２１ｇ、第２光学レーザ装置２４及び第２集煙ダクト２４１が取り付けられている。また、上記第２変更手段２７Ｂは、上記筺体フレームに対しレール（図示せず）を介してベルト２２の搬送方向に移動可能に支持された第２支持フレーム（図示せず）を備えている。この第２支持フレームには、上記第７及び第８従動ロール２１ｈ，２１ｉ、並びにテーブル部２８及び高感度カメラ２９が取り付けられている。そして、上記第１支持フレーム及び第２支持フレームは、これらにそれぞれ固設されたピニオンギヤ（図示せず）と図示しないサーボモータが回転一体に連結されたラック（図示せず）との噛み合いによってベルト２２の搬送方向に移動可能となっている。この場合、ピニオンギヤとラックとの噛み合いにより発生するバックラッシは、２枚のピニオンギヤに挟まれたノーバックラッシュギアを用いるなどして殺している。
【００４５】
このとき、第３〜第６従動ロール２１ｄ〜２１ｇ、第２光学レーザ装置２４及び第２集煙ダクト２４１は、第１変更手段２７Ａによってそれぞれベルト２２の搬送方向へ一体的に移動し、それぞれの移動量が同一となっている。また、第７及び第８従動ロール２１ｈ，２１ｉ、並びにテーブル部２８及び高感度カメラ２９は、第２変更手段２７Ｂによってそれぞれベルト２２の搬送方向へ一体的に移動し、それぞれの移動量が同一となっている。つまり、図３及び図４に示すように、第３〜第６従動ロール２１ｄ〜２１ｇ、第２光学レーザ装置２４及び第２集煙ダクト２４１の移動量と、第７及び第８従動ロール２１ｈ，２１ｉ、並びにテーブル部２８及び高感度カメラ２９の移動量とは、光学レーザユニット２の各光学レーザ装置２３，２４により切断される光学フィルムＳ２，Ｓ３の大きさに応じて変更される。具体的には、第７及び第８従動ロール２１ｈ，２１ｉ、並びにテーブル部２８及び高感度カメラ２９は、各光学レーザ装置２３，２４により切断される中サイズ（例えばワイドタイプの４０インチサイズ）の液晶モニタ用の光学フィルムＳ２又は大サイズ（例えばワイドタイプの４６インチサイズ）の液晶モニタ用の光学フィルムＳ３に応じた光学シートＳの前端（図３及び図４では左端）の上方に高感度カメラ２９が対応する位置まで第２支持フレームによってそれぞれベルト２２の搬送方向へ一体的に移動する。一方、第３〜第６従動ロール２１ｄ〜２１ｇ、第２光学レーザ装置２４及び第２集煙ダクト２４１は、第２光学レーザ装置２４により切断される中サイズの光学フィルムＳ２又は大サイズの光学フィルムＳ３の切断位置（２枚の光学フィルムＳ２，Ｓ２又はＳ３，Ｓ３の間）の下方に第２光学レーザ装置２４が対応する位置まで第１支持フレームによってそれぞれベルト２２の搬送方向へ一体的に移動する。このとき、第７及び第８従動ロール２１ｈ，２１ｉ、並びにテーブル部２８及び高感度カメラ２９の移動量と、第３〜第６従動ロール２１ｄ〜２１ｇ、第２光学レーザ装置２４及び第２集煙ダクト２４１の移動量とは、各光学レーザ装置２３，２４により切断される光学フィルムＳ１〜Ｓ３のサイズに応じて予め設定されている。この場合、ベルト２２の第１及び第２搬送領域Ａ１，Ａ２は、駆動ロール２１ａと第８従動ロール２１ｉとの間でのベルト２２の掛け渡し量を増減させることで、光学フィルムＳ１〜Ｓ３のサイズに応じて変更される。
【００４６】
また、上記上流側装置本体部６の駆動ロール６１ａ及び第１〜第５従動ロール６１ｂ〜６１ｆは、第３支持フレーム（図示せず）に取り付けられている。この第３支持フレームは、上記筺体フレームに対しレール（図示せず）を介してベルト６２の搬送方向に移動可能に支持されている。また、前端位置検出センサ６３も、第３支持フレームに取り付けられている。そして、上記第３支持フレームは、これに固設されたピニオンギヤ（図示せず）と図示しないサーボモータが回転一体に連結されたラック（図示せず）との噛み合いによってベルト６２の搬送方向に移動可能となっている。この場合、ピニオンギヤとラックとの噛み合いにより発生するバックラッシは、２枚のピニオンギヤに挟まれたノーバックラッシュギアを用いるなどして殺している。
【００４７】
このとき、駆動ロール６１ａ及び第１〜第５従動ロール６１ｂ〜６１ｆは、第３支持フレームによってそれぞれベルト６２の搬送方向へ一体的に移動し、それぞれの移動量が同一となっている。つまり、図３及び図４に示すように、第３支持フレームの移動量（駆動ロール６１ａ及び第１〜第５従動ロール６１ｂ〜６１ｆの移動量）は、光学レーザユニット２の各光学レーザ装置２３，２４により切断される光学フィルムＳ２，Ｓ３の大きさに応じて変更された第１支持フレームの移動量に応じて変更される。具体的には、駆動ロール６１ａ及び第１〜第５従動ロール６１ｂ〜６１ｆは、その移動量が第１支持フレームの移動に追従して変更される。要するに、第３支持フレームの移動量つまり駆動ロール６１ａ及び第１〜第５従動ロール６１ｂ〜６１ｆの移動量は、各光学レーザ装置２３，２４により切断される光学フィルムのサイズに応じて予め設定されている。この場合、ベルト６２の搬送領域Ｂは、光学フィルムＳ１〜Ｓ３のサイズに応じて変更されず、均一に保たれる。
【００４８】
更に、上記下流側装置本体部７の駆動ロール７１ａは、上記筺体フレームに固定されている。これに対し、上記下流側装置本体部７の第１〜第３従動ロール７１ｂ〜７１ｄは、光学フィルムＳ１の搬送方向の長さつまりベルト７２の搬送領域Ｃの長さを変更する第３変更手段７７を介して上記筺体フレームに支持されている。この第３変更手段７７は、上記筺体フレームに対しレール（図示せず）を介してベルト７２の搬送方向に移動可能に支持された第４支持フレーム（図示せず）を備えている。この第４支持フレームには、上記下流側装置本体部７の第１〜第３従動ロール７１ｂ〜７１ｄが取り付けられている。また、前端位置検出センサ７４が筺体フレームに取り付けられているのに対し、後端位置検出センサ７３は第４支持フレームに取り付けられている。そして、上記第４支持フレームは、これに固設されたピニオンギヤ（図示せず）と図示しないサーボモータが回転一体に連結されたラック（図示せず）との噛み合いによってベルト７２の搬送方向に移動可能となっている。この場合、ピニオンギヤとラックとの噛み合いにより発生するバックラッシは、２枚のピニオンギヤに挟まれたノーバックラッシュギアを用いるなどして殺している。
【００４９】
このとき、下流側装置本体部７の第１〜第３従動ロール７１ｂ〜７１ｄは、第３変更手段７７によってそれぞれベルト７２の搬送方向へ一体的に移動し、それぞれの移動量が同一となっている。つまり、図３及び図４に示すように、第１〜第３従動ロール７１ｂ〜７１ｄの移動量は、光学レーザユニット２の各光学レーザ装置２３，２４により切断される光学フィルムＳ２，Ｓ３の大きさに応じて移動する上流側装置本体部６の第３支持フレームの移動量に応じて変更される。具体的には、駆動ロール６１ａ及び第１〜第５従動ロール６１ｂ〜６１ｆは、第１支持フレームの移動に追従して移動量が変更される。このとき、駆動ロール６１ａ及び第１〜第５従動ロール６１ｂ〜６１ｆの移動量は、各光学レーザ装置２３，２４により切断される光学フィルムのサイズに応じて予め設定されている。この場合、ベルト７２の搬送領域Ｃは、駆動ロール７１ａと第１従動ロール７１ｂとの間でのベルト７２の掛け渡し量を増減させることで、光学フィルムＳ１〜Ｓ３のサイズに応じて変更される。
【００５０】
ところで、上流側装置本体部６の搬送領域Ｂ及び下流側装置本体部７の搬送領域Ｃは、中サイズの光学フィルムＳ２であれば、双方それぞれにその中サイズの光学フィルムＳ２の搬送方向全域を載置可能とする長さを有しているものの、大サイズの光学フィルムＳ３であれば、双方それぞれにその大サイズの光学フィルムＳ３の搬送方向全域を載置可能とする長さを有してはいない。そのため、大サイズの光学フィルムＳ３を搬送する場合には、上流側装置本体部６の駆動ロール６１ａと下流側装置本体部７の駆動ロール７１ａとを同期させて同じ搬送速度でベルト６２，７２を搬送し、上流側装置本体部６の搬送領域Ｂと下流側装置本体部７の搬送領域Ｃとを合わせた領域（Ｂ＋Ｃ）によって大サイズの光学フィルムＳ３の搬送方向全域を載置可能としている。また、上流側装置本体部６の駆動ロール６１ａのサーボモータと下流側装置本体部７の駆動ロール７１ａのサーボモータとは、上記前端位置検出センサ７４によりベルト７２の搬送領域Ｃの下流側において先頭の光学フィルムＳ３の前端位置が検出されると、定速搬送装置３のベルト３２の搬送速度（例えば６０ｍ／ｍｉｎ）よりも若干遅い第２の搬送速度（例えば４５ｍ／ｍｉｎ）に調速されるように同期して減速させている。この場合、上流側装置本体部６の搬送領域Ｂと下流側装置本体部７の搬送領域Ｃとを合わせた領域（Ｂ＋Ｃ）は、光学レーザユニット２から受け渡されて搬送方向全域が載置された２枚の光学フィルムＳ３のうちの先頭の光学フィルムＳ３の前端位置が前端位置検出センサ７４により検出された際に、定速搬送装置３のベルト３２の搬送速度よりも若干遅い第２の搬送速度までベルト７２の搬送速度を調速（減速）させるに必要な長さを有している。
【００５１】
また、下流側装置本体部７の第３変更手段７７は、光学レーザユニット２の第１及び第２搬送領域Ａ１，Ａ２の長さと下流側装置本体部７の搬送領域Ｃの長さとの和が一定に保たれるように、光学レーザユニット２の第１及び第２変更手段２７Ａ，２７Ｂにより変更された第１及び第２搬送領域Ａ１，Ａ２の長さに応じて下流側装置本体部７の搬送領域Ｃの長さを相対的に変更している。
【００５２】
したがって、上記実施の形態では、中間搬送装置１は、光学レーザユニット２から小サイズ〜大サイズの光学フィルムＳ１〜Ｓ３を受け取る際に光学レーザユニット２のベルト２２の搬送速度（例えば９０ｍ／ｍｉｎ）よりも若干速い第１の搬送速度（例えば１０５ｍ／ｍｉｎ）に調速され、光学レーザユニット２からの受け取り時に光学フィルムＳ１〜Ｓ３に弛みを生じさせることがない。
その場合、中間搬送装置１は、小サイズ及び中サイズの光学フィルムＳ１，Ｓ２を上流側装置本体部６のベルト６２から下流側装置本体部７のベルト７２に受け渡す際にそのベルト７２の搬送速度（例えば６０ｍ／ｍｉｎ）よりも若干遅い搬送速度（例えば４５ｍ／ｍｉｎ）に、小サイズ〜大サイズの光学フィルムＳ１〜Ｓ３を下流側装置本体部７のベルト７２から定速搬送装置３のベルト３２に受け渡す際にそのベルト３２の搬送速度（例えば６０ｍ／ｍｉｎ）よりも若干遅い第２の搬送速度（例えば４５ｍ／ｍｉｎ）にそれぞれ減速されるので、下流側装置本体部７及び定速搬送装置３への受け渡し時にも光学フィルムＳ１〜Ｓ３に弛みを生じさせることがない。このため、定速搬送装置３による光学フィルムＳ１〜Ｓ３の搬送速度を、光学レーザユニット２からの光学フィルムＳ１〜Ｓ３の搬送速度よりも増速させた中間搬送装置１（上流側装置本体部６及び下流側装置本体部７）による光学フィルムＳ１〜Ｓ３の搬送速度よりもさらに速い速度に増速させる必要がない。これにより、定速搬送装置３による光学フィルムＳ１〜Ｓ３の搬送速度の増速が抑えられ、定速搬送装置３による光学フィルムＳ１〜Ｓ３の搬送精度の悪化を防止することができる上、その下流側において最終的に回収される回収時に光学フィルムＳ１〜Ｓ３に作用する過度の衝撃を防止することができる。
【００５３】
また、上流側装置本体部６及び下流側装置本体部７のベルト６２，７２の搬送領域Ｂ，Ｃは、光学レーザユニット２から受け取った小サイズ及び中サイズの光学フィルムＳ１，Ｓ２の搬送方向全長を載置可能とする搬送方向長さを有し、かつその光学フィルムＳ１，Ｓ２を受け取って載置し終えた際に上記第１の搬送速度から上記第２の搬送速度まで調速させるに必要な搬送方向長さを有している。また、上流側装置本体部６及び下流側装置本体部７のベルト６２，７２の搬送領域Ｂ，Ｃを合わせた領域Ｂ＋Ｃは、光学レーザユニット２から受け取った大サイズの光学フィルムＳ３の搬送方向全長を載置可能とする搬送方向長さを有し、かつその光学フィルムＳ３を受け取って載置し終えた際に上記第１の搬送速度から上記第２の搬送速度まで減速させるに必要な搬送方向長さを有している。
これにより、光学レーザユニット２から光学フィルムＳ１〜Ｓ３を受け取る際にその光学フィルムＳ１〜Ｓ３の搬送方向全長が載置されて、光学レーザユニット２からの光学フィルムＳ１〜Ｓ３を円滑に受け取ることができる。しかも、中間搬送装置１の上流側装置本体部６のベルト６２の搬送領域Ｂ、下流側装置本体部７のベルト７２の搬送領域Ｃ、及び両装置本体部６,７のベルト６２，７２の搬送領域Ｂ，Ｃを合わせた搬送領域Ｂ＋Ｃは、光学フィルムＳ１〜Ｓ３を受け取って載置し終えた際に第１の搬送速度から第２の搬送速度まで調速させるに必要な搬送方向長さを有しているので、光学フィルムＳ１〜Ｓ３を受け取って載置し終えてから第２の搬送速度まで円滑に減速することができる。
【００５４】
また、下流側装置本体部７の第３変更手段７７によって、光学レーザユニット２の第１及び第２搬送領域Ａ１，Ａ２の長さと両装置本体部６，７の搬送領域Ｂ，Ｃの長さとの和が一定に保たれるように、光学レーザユニット２の第１及び第２変更手段２７Ａ，２７Ｂにより変更された第１及び第２搬送領域Ａ１，Ａ２の長さに応じて下流側装置本体部７の搬送領域Ｃの長さが相対的に変更されるので、光学レーザ２３，２４による光学フィルムＳ１〜Ｓ３の切断長さが変更されても光学レーザユニット２の第１及び第２搬送領域Ａ１，Ａ２の長さと両装置本体部６，７の搬送領域Ｂ，Ｃの長さとの和が常に一定に保たれ、光学レーザユニット２及び両装置本体部６，７の各搬送領域Ａ１，Ａ２，Ｂ，Ｃの長さの増大化を抑制することができる。
【００５５】
なお、本発明は、上記実施の形態に限定されるものではなく、その他種々の変形例を包含している。例えば、上記実施の形態では、光学レーザ装置２３，２４を光学シートＳの搬送方向に２つ並設したが、３つ以上の光学レーザ装置が光学シートの搬送方向に並設されていてもよい。この場合には、搬送されてきた光学シートが光学レーザ装置によって３枚以上の枚葉体の光学フィルムに切断され、光学フィルムの生産性を向上させることができる。また、単一の光学レーザ装置が光学シートの搬送方向に設けられていてもよいのはいうまでもない。
【００５６】
また、上記実施の形態では、下流側装置本体７に第３変更手段７７を設けたが、下流側装置本体部に代えて上流側装置本体に、又は上流側装置本体及び下流側装置本体の双方に変更手段が設けられていてもよい。
【００５７】
また、上記実施の形態では、光学レーザユニット２のベルト２２の搬送速度（９０ｍ／ｍｉｎ）よりも若干速い第１の搬送速度（例えば１０５ｍ／ｍｉｎ）にベルト６２が調速（加速）されるように上流側装置本体部６のベルト６２を加速させ、下流側装置本体部７のベルト７２の搬送速度（例えば６０ｍ／ｍｉｎ）よりも若干遅い搬送速度（例えば４５ｍ／ｍｉｎ）にベルト６２が調速（減速）されるように上流側装置本体部６の駆動ロール６１ａのサーボモータを減速させ、さらに、定速搬送装置３のベルト３２の搬送速度（例えば６０ｍ／ｍｉｎ）よりも若干遅い第２の搬送速度（例えば４５ｍ／ｍｉｎ）にベルト７２が調速されるように下流側装置本体部７の駆動ロール７１ａのサーボモータを減速させたが、いずれの場合においても、下流側のベルトに受け渡された際にその上流側となる受け渡す側のベルトと光学フィルムとの間で発生する摩擦が許容範囲内となる３０％未満の搬送速度差であれば、その上流側及び下流側のベルトの搬送速度は規定されるものではない。
【００５８】
更に、上記実施の形態では、第１〜第４支持フレームを筺体フレームに対しレールを介してベルト２２，６２，７２の搬送方向に移動可能に支持したが、各支持フレームに取り付けられる駆動ロール、各従動ロール、第２光学レーザ装置、第２集煙ダクト、前端位置検出センサ及び後端位置検出センサが、それぞれ個別に固設されたピニオンギヤとサーボモータが回転一体に連結されたラックとの噛み合いによってベルトの搬送方向に移動可能となっていてもよい。
【符号の説明】
【００５９】
１      中間搬送装置
１０    装置本体
２      光学レーザユニット
２３，２４  光学レーザ装置（光学レーザ）
２７Ａ  第１変更手段（変更手段）
２７Ｂ  第２変更手段（変更手段）
３      定速搬送装置
６      上流側装置本体部
７      下流側装置本体部
７７    第３変更手段（変更手段）
Ａ１，Ａ２  光学レーザユニットの第１及び第２搬送領域（光学レーザユニットの光学フィルムの搬送方向長さ）
Ｃ      下流側装置本体部の搬送領域（装置本体による光学フィルムの搬送方向長さ）
Ｓ      光学シート
Ｓ１〜Ｓ３  光学フィルム
【図１】
2012086931.tif 000003
【図２】
2012086931.tif 000004
【図３】
2012086931.tif 000005
【図４】
2012086931.tif 000006